(57)【要約】【課題】  表示する映像信号の走査線数に合致した垂直方向画素数を有する欧州規格の映像表示装置を提供する。【解決手段】  液晶映像表示装置３０は、所定数の走査線を有するインターレース方式の映像信号を入力切換する入力切換部１１と、入力された映像信号をスーリング用ラインメモリ３２を用いてスケーリングする簡易スケーラ３１と、スケーリングされた映像信号を入力してプログレッシブ方式の映像を表示するマトリックス型の液晶パネル２０とを備え、液晶パネル２０は、ＰＡＬ方式映像信号の水平走査線のうち表示信号が存在する水平走査線の数に対応する垂直方向画素数と、前記垂直方向画素数に対して１６／９の比率の数に対応する水平方向画素数とを有する。【選択図】      図１
2006173994.tif 000002
【特許請求の範囲】
【請求項１】
所定数の走査線を有するインターレース方式の映像信号を入力する映像信号入力部と、前記映像信号入力部からの映像信号をラインメモリを用いてスケーリングするスケーラと、スケーリングされた映像信号を入力してプログレッシブ方式の映像を表示するマトリックス型の表示パネルとを備え、
前記表示パネルは、インターレース方式の映像信号の水平走査線のうち表示信号が存在する水平走査線の数に対応する垂直方向画素数と、前記垂直方向画素数に対して１６／９の比率の数に対応する水平方向画素数とを有することを特徴とする映像表示装置。
【請求項２】
前記表示パネルは、それぞれの画素の垂直方向と水平方向の間隔が等しく構成されており、４：３のアスペクト比率を有する標準方式映像信号の水平走査線のうち表示信号が存在する水平走査線の数に対応した第1数の垂直方向画素数を有し、前記第1数に対して１６／９の比率の数に対応した第２数の水平方向画素数を有し、
前記標準方式映像信号を表示するときは、表示信号が存在する各々の水平走査線信号を前記表示パネルの各々の合致した垂直位置の画素に対応させるとともに、前記第１数の４／３倍の水平方向画素数に対応した水平方向範囲の画素に対応させて表示し、
１６：９のアスペクト比率を有する映像信号を表示するときは、表示信号が存在する各々の水平走査線信号を前記表示パネルの垂直方向画素数に対応するようスケーリングするとともに、前記表示パネルの水平方向画素数に対応するようスケーリングして表示することを特徴とする請求項１記載の映像表示装置。
【請求項３】
前記標準方式はＮＴＳＣ方式であることを特徴とする請求項１又は２に記載の映像表示装置。
【請求項４】
前記標準方式はＰＡＬ方式又はＳＥＣＡＭ方式であることを特徴とする請求項１又は２に記載の映像表示装置。
【請求項５】
前記第１数は４８０であることを特徴とする請求項３記載の映像表示装置。
【請求項６】
前記第１数は５４０であることを特徴とする請求項４記載の映像表示装置。
【発明の詳細な説明】
【技術分野】
【０００１】
本発明は、デジタル映像ソースを表示するための映像表示装置に関し、特に、ＰＡＬ（phase alternation line）方式の映像ソースを表示するための映像表示装置に関する。
【背景技術】
【０００２】
映像ソースを表示するために液晶パネル、プラズマパネル等のマトリックス型表示パネルを用いた映像表示装置が知られている。このような映像表示装置には、通常、パーソナルコンピュータの表示規格に従った表示パネルが用いられる。例えば、４：３型のＶＧＡ（６４０ドット×４８０ドット）の表示パネルの場合、４８０行の画素列からなり、ＸＧＡ（１０２４ドット×７６８ドット）の表示パネルの場合、７６８行の画素列からなる。
【０００３】
一方、映像ソースのフォーマットでは、ＰＡＬ映像信号の５７６ｉとハイビジョン信号の１０８０ｉなどが規定されている。５７６ｉは走査線が５７６本のインターレース信号、１０８０ｉは走査線が１０８０本のインターレース信号である。すなわち、映像ソースの走査線数は、マトリックス型表示パネルの画素の行数と異なる。
【０００４】
したがって、映像ソースをマトリックス型表示パネルに表示するためには、スケーリングを行う必要がある。スケーリングとは、映像走査線数をパネルの垂直方向画素数に変換するために、上下に隣り合う水平走査線信号を所定比率で加算／平均化などの演算することにより新たな水平走査信号を作り出す処理である。
【０００５】
図４を参照してＰＡＬ方式の標準（ＳＤ）映像信号のスケーリングを説明する。図４Ａは、走査線数が５７６本のインターレース方式の映像信号を模式的に表示したものであり、この映像信号を、以下、単に、５７６ｉ映像信号と称する。図４Ｂは、１６：９型のＷ−ＸＧＡ（１３６６ドット×７６８ドット）の表示パネルの画素列を模式的に表示したものであり、これを、以下、単に、Ｗ−ＸＧＡパネルと称する。
【０００６】
まず、図４Ａの５７６ｉ映像信号を、図４Ｃに示す、走査線が５４７本のプログレッシブ信号に変換する。こうして生成された信号を、以下、単に、５４７ｐ信号と称する。ここで、走査線がインターレース５７６本からプログレッシブ５４７本に変化しているのは、片フィールドの信号をラインメモリにより１ラインを２ラインに増やす処理を行って５７６ｐ信号に変換し、さらに５％のオーバスキャン分２９ラインカットを行ったためである。次に、図４Ｃの５４７ｐ信号を、図４Ｄに示す、走査線が７６８本のプログレッシブ信号に変換する。こうして生成された信号を、以下、単に、７６８ｐ信号と称する。ここで、走査線を５４７から７６８本に増加させる処理をスケーリングと称する。７６８ｐ信号の走査線は、７６８本であるから、７６８行の画素列を有するＷ−ＸＧＡパネルに表示することができる。なお、５７６ｉ映像信号は４：３型であるから、それを１６：９型の表示パネルに表示するには、水平方向のスケーリングが必要である。
【０００７】
図５を参照してハイビジョン（ＨＤ）映像信号のスケーリングを説明する。図５Ａは、走査線数が１０８０本のインターレース方式の映像信号を模式的に表示したものであり、この映像信号を、以下、単に、１０８０ｉ映像信号と称する。図５Ｂは、Ｗ−ＸＧＡパネルの画素列を模式的に示す。
【０００８】
まず、図５Ａの１０８０ｉ映像信号を、図５Ｃに示す、走査線が５４０本のプログレッシブ信号に変換する。こうして生成された信号を、以下、単に、５４０ｐ信号と称する。ここで、走査線がインターレース１０８０本からプログレッシブ５４０本に減少しているのは、偶数フィールド信号又は奇数フィールド信号の片方の信号を１画面の信号としたためである。次に、図５Ｃの５４０ｐ信号を、図５Ｄに示す走査線が７６８本のプログレッシブ信号に変換する。走査線が５４０本から７６８本に増加しているのは、スケーリングを行ったためである。７６８ｐ信号の走査線は、７６８本であるから、７６８行の画素列を有するＷ−ＸＧＡパネルに表示することができる。なお、１０８０ｉ映像信号は１６：９型であるから、それを１６：９型の表示パネルに表示するには、水平方向のスケーリングは不要である。
【０００９】
図６は、ＰＡＬ方式の映像ソース用の液晶映像表示装置の構成の主要部を示す図であり、ＰＡＬ方式の映像ソース又はハイビジョン信号を１６：９型のＰＣ規格に沿ったＷ−ＸＧＡの表示パネルに表示する場合の例である。
【００１０】
図６において、液晶映像表示装置は、複数の映像ソースからの映像信号ａ，ｂ，ｃを切り替えて入力する入力切換部１１、アナログ信号をデジタル信号に変換するＡＤコンバータ１２、スケーリング用フレームメモリ１３、スケーリング，ＩＰ変換等の映像信号変換処理を行うスケーラである映像信号変換部１４、画質強調補正処理を行う画質強調補正部１５、オンスクリーン信号を制御するＯＳＤ（On Screen Display）制御部１６、オンスクリーン信号を混合するＯＳＤ混合部１７、γ補正を行うγ補正部１８、液晶パネルを制御する液晶コントローラ１９、液晶パネル２０、ゲートドライバ２１、及びソースドライバ２２を備えて構成される。
【００１１】
映像信号変換部１４は、ＩＰ変換等の映像信号変換処理を行うとともに、スケーリング用フレームメモリ１３を用いて、ＰＡＬ映像信号であれば５７６ｉ信号を７６８ｐ信号に、ハイビジョン信号であれば１０８０ｉ信号を７６８ｐ信号にスケーリングする。ＮＴＳＣ方式の映像ソースやＰＣの表示規格に従った表示パネルによってＰＡＬ方式の映像信号を表示する場合、スケーリング時の作業メモリとしてスケーリング用フレームメモリ１３が必要になる。
【００１２】
特許文献１には、色差信号に対しＳＥＣＡＭ（sequential a memoir）方式で規定されている振幅を有するベルテーブルを備え、ＰＡＬ方式とＮＴＳＣ方式、ＳＥＣＡＭ方式に対応可能な映像信号処理回路が記載されている。
【００１３】
また、特許文献２には、水平同期信号の周期に基づいて信号線に蓄積される電圧の保持帰還が一定になるようにゲートパルスの位相を制御し、ＮＴＳＣ方式とＰＡＬ方式の表示品位の差異をなくようにした液晶表装置が記載されている。
【００１４】
【特許文献１】特開２００２−１８５９７５号公報
【特許文献２】特開平５−１２７６２１号公報
【発明の開示】
【発明が解決しようとする課題】
【００１５】
しかしながら、このような従来のＷ−ＸＧＡ方式の表示パネルにあっては、ＰＡＬ方式の映像ソースやハイビジョン信号を、Ｗ−ＸＧＡ方式の表示パネル用に適用していたため、スケーリングを行う必要がある。スケーリングは、映像走査線数をパネルの垂直方向画素数に変換するために、上下に隣り合う水平走査線信号を所定比率で加算／平均化などの演算することにより新たな水平走査信号を作り出すので、本来の映像信号よりも必ずボケるという問題が生じる。
【００１６】
また、スケーリングを行う際には、少なくとも１フレーム分の画像をメモリ上で展開する必要があるためフレームメモリが必要となるとともにスケーラの構成が複雑になるという欠点があった。例えば、図６に示すように、ＰＡＬ映像信号をＷ−ＸＧＡ方式の表示パネルに表示する場合、スケーリング用フレームメモリ１３と該フレームメモリ１３を用いて画像を変換する回路規模の比較的大きい映像信号変換部１４が必要となり、コストアップの要因となっていた。
【００１７】
また、最近の映像表示装置は、ＮＴＳＣ方式、ＰＡＬ方式などのいずれの方式においてもアスペクト比率が４：３の従来の映像信号だけでなく、アスペクト比率が１６：９のワイド方式映像信号に表示にも対応する必要がある。垂直方向画素数は４：３映像信号の表示信号が存在する走査線数に対応した数が最適であるが、水平方向画素数は垂直方向画素数の１６／９倍の数にすることにより、表示パネルのアスペクト比率を１６：９にすることが適当である。従来はアスペクト比率が１６：９のワイド方式映像信号に対応したＰＡＬ方式の表示パネルは存在していない。このため、より大きなスケーリングが必要となり上述した画質の影響及びコストアップを将来する。
【００１８】
さらに、ＰＣのＶＧＡ解像度はＮＴＳＣ映像信号の表示信号が存在する走査線数に近いものであるため、ＮＴＳＣ信号は比較的表示信号とパネル画素を合致させることが容易であるが、ＰＡＬ信号は走査線数が違うため、フレームメモリを用いたスケーリングが必要となる。このため、ＰＡＬ映像の表示において、垂直方向画素数が合致した表示パネルが求められており、垂直方向画素数が合致した表示パネルにより表示信号と画素を合致させて表示することが好ましい。
【００１９】
本発明は、このような課題に鑑みてなされたものであって、表示する映像信号の走査線数に合致した垂直方向画素数を有する欧州規格の映像表示装置を提供することを目的としている。
【００２０】
また、本発明は、映像信号の水平走査線信号をパネルの画素に合致させて表示することにより、スケーリングの必要がないか又は簡易スケーリングを可能にし、スケーリングによる画質の影響を極力低減して表示のボケが生じない映像表示装置を提供することを目的としてる。
【００２１】
また、本発明は、スケーリング用フレームメモリをなくすとともに、簡易スケーリングを可能にし、コスト低減を図ることのできる映像表示装置を提供することを目的としてる。
【課題を解決するための手段】
【００２２】
本発明の映像表示装置は、所定数の走査線を有するインターレース方式の映像信号を入力する映像信号入力部と、前記映像信号入力部からの映像信号をラインメモリを用いてスケーリングするスケーラと、スケーリングされた映像信号を入力してプログレッシブ方式の映像を表示するマトリックス型の表示パネルとを備え、前記表示パネルは、インターレース方式の映像信号の水平走査線のうち表示信号が存在する水平走査線の数に対応する垂直方向画素数と、前記垂直方向画素数に対して１６／９の比率の数に対応する水平方向画素数とを有することを特徴としている。
【００２３】
より好ましい具体的な態様として、前記表示パネルは、それぞれの画素の垂直方向と水平方向の間隔が等しく構成されており、４：３のアスペクト比率を有する標準方式映像信号の水平走査線のうち表示信号が存在する水平走査線の数に対応した第1数の垂直方向画素数を有し、前記第1数に対して１６／９の比率の数に対応した第２数の水平方向画素数を有し、前記標準方式映像信号を表示するときは、表示信号が存在する各々の水平走査線信号を前記表示パネルの各々の合致した垂直位置の画素に対応させるとともに、前記第１数の４／３倍の水平方向画素数に対応した水平方向範囲の画素に対応させて表示し、１６：９のアスペクト比率を有する映像信号を表示するときは、表示信号が存在する各々の水平走査線信号を前記表示パネルの垂直方向画素数に対応するようスケーリングするとともに、前記表示パネルの水平方向画素数に対応するようスケーリングして表示する。
【００２４】
前記標準方式はＮＴＳＣ方式で、前記第1数は４８０であってもよい。
【００２５】
また、標準方式はＰＡＬ方式又はＳＥＣＡＭ方式で、前記第1数は５４０であってもよい。
【発明の効果】
【００２６】
以上、詳述したように、本発明によれば、表示する映像信号の走査線数に合致した垂直方向画素数を有する欧州規格の映像表示装置を実現することができる。
【００２７】
また、映像信号の水平走査線信号をパネルの画素に合致させて表示することにより、スケーリングの必要がないか又は簡易なスケーリングで済み、スケーリングによる画質の影響を極力防止することができる。
【００２８】
また、ラインメモリを用いた簡易スケーリングで済むため、コスト低減を図ることができる。
【発明を実施するための最良の形態】
【００２９】
以下、添付図面を参照しながら本発明の好適な映像表示装置の実施の形態について詳細に説明する。
【００３０】
図１は、本発明の実施の形態の映像表示装置の構成の主要部を示す図である。本実施の形態に係る液晶映像表示装置は、ＰＡＬ方式のデジタル映像ソース用の液晶映像表示装置に適用した例である。本実施の形態の説明にあたり図７の同一構成部分には同一符号を付している。
【００３１】
図１において、液晶映像表示装置３０は、複数のデジタル映像ソースからの映像信号ａ，ｂ，ｃを切り替えて入力する入力切換部１１、アナログ信号をデジタル信号に変換するＡＤコンバータ１２、スケーリング用ラインメモリ３２、簡易スケーリング，ＩＰ変換等の映像信号変換処理を行う簡易スケーラ３１、画質強調補正処理を行う画質強調補正部１５、オンスクリーン信号を制御するＯＳＤ制御部１６、オンスクリーン信号を混合するＯＳＤ混合部１７、γ補正を行うγ補正部１８、液晶パネル２０を制御する液晶コントローラ１９、液晶パネル２０、ゲートドライバ２１、及びソースドライバ２２を備えて構成される。
【００３２】
簡易スケーラ３１は、スケーリング用ラインメモリ３２を用いてＩＰ変換等の映像信号変換処理を行うとともに、簡易スケーリングを行う。液晶映像表示装置３０において、ＨＤ信号（１０８０ｉ）時は簡易スケーラ３１及びスケーリング用ラインメモリ３２なしでＰＡＬ方式の表示が可能である。また、ＰＡＬ標準信号では、スケーリング用ラインメモリ３２を用いた簡易スケーラ３１でＰＡＬ方式の表示が可能である。
【００３３】
液晶パネル２０は、それぞれの画素の垂直方向と水平方向の間隔が等しく構成されており、４：３のアスペクト比率を有する標準方式映像信号の水平走査線のうち表示信号が存在する水平走査線の数に対応した第1数の垂直方向画素数を有し、前記第1数に対して１６／９の比率の数に対応した第２数の水平方向画素数を有し、標準方式映像信号を表示するときは、表示信号が存在する各々の水平走査線信号を前記液晶パネルの各々の合致した垂直位置の画素に対応させるとともに、前記第１数の４／３倍の水平方向画素数に対応した水平方向範囲の画素に対応させて表示し、１６：９のアスペクト比率を有する映像信号を表示するときは、表示信号が存在する各々の水平走査線信号を液晶パネル２０の垂直方向画素数に対応するようスケーリングするとともに、前記液晶パネルの水平方向画素数に対応するようスケーリングして表示する。
【００３４】
上記標準方式はＮＴＳＣ方式で、第1数は例えば４８０である。また、標準方式はＰＡＬ方式又はＳＥＣＡＭ方式で、第1数は例えば５４０である。
【００３５】
以下、上述のように構成された液晶映像表示装置の簡易スケーラ３１における映像信号変換処理を説明する。
【００３６】
図２は、ＰＡＬ方式の標準（ＳＤ）映像信号の映像信号変換処理を説明する図である。図２Ａは、図４Ａに示した走査線数が５７６本のインターレース方式の映像信号、すなわち、５７６ｉ映像信号を模式的に表示したものである。図２Ｂは、１６：９型の欧州規格の表示パネル（９６０ドット×５４０ドット）の画素列を模式的に表示したものであり、これを、以下、単に、ワイドユーロパネルと称する。
【００３７】
まず、図２Ａの５７６ｉ映像信号を、スケーリング用ラインメモリ３２を用いてフィールドの走査線を２８８本から５７６本に増やす。単純に倍の走査線に増やすため簡易スケーリングで可能である。その結果、図２Ｃに示すように走査線が５７６本のプログレッシブ信号に変換される。こうして生成された信号を、以下、単に、５７６ｐ信号と称する。
【００３８】
次に、図２Ｃの５７６ｐ信号を、図２Ｄに示す走査線が５４０本のプログレッシブ信号に変換する。こうして生成された信号を、以下、単に、５４０ｐ信号と称する。ここで、走査線が５７６本から５４０本に減少しているのは、６．２５％のオーバスキャンを行ったためであり、スケーリングは不要である。５４０ｐ信号の走査線は、５４０本であるから、５４０行の画素列を有するワイドユーロパネルに表示することができる。なお、５７６ｉ映像信号は４：３型であるから、それを１６：９型のワイドユーロパネルに表示するには、水平方向のスケーリングが必要である。
【００３９】
図３は、ハイビジョン（ＨＤ）映像信号の映像信号変換を説明する図である。図３Ａは、図５Ａに示した走査線数が１０８０本のインターレース方式の映像信号、すなわち、１０８０ｉ映像信号を模式的に表示したものである。図３Ｂは、図２Ｂに示した、１６：９型の欧州規格のワイドユーロパネル（９６０ドット×５４０ドット）の画素列を模式的に表示したものである。
【００４０】
まず、図３Ａの１０８０ｉ映像信号を、図３Ｃに示す、走査線が５４０本のプログレッシブ信号、すなわち、５４０ｐ信号に変換する。ここで、１０８０ｉの１フィールドの走査線は５４０本をそのまま利用するためスケーリングは不要である。５４０ｐ信号の走査線は、５４０本であるから、５４０行の画素列を有するワイドユーロパネルに表示することができる。なお、１０８０ｉ映像信号は１６：９型であるから、それを１６：９型のワイドユーロパネルに表示するには、水平方向のスケーリングは不要である。
【００４１】
以上、説明したように、本例のマトリックス型表示装置の簡易スケーラ３１では、ＰＡＬ方式の標準（ＳＤ）映像信号をワイドユーロパネルに表示する場合、図２Ａの５７６ｉ映像信号を図２Ｃの５７６ｐ信号にＩＰ変換し、それを、図２Ｄの５４０ｐ信号に変換するだけである。すなわち、オーバスキャンと水平方向のスケーリングを行い、垂直方向には単純に２倍のスケーリングを行う。ＰＡＬ方式のハイビジョン（ＨＤ）映像信号をワイドユーロパネルに表示する場合、図３Ａの１０８０ｉ映像信号を図３Ｃの５４０ｐ信号に変換するだけである。すなわち、スケーリングは行わない。したがって、本実施の形態では、従来必要としていたスケーリング用フレームメモリが不要となり、フレームメモリより格段にメモリ容量の小さいスケーリング用ラインメモリ３２を用いて簡易スケーリングを行うことができる。
【００４２】
以上のように、本実施の形態の液晶映像表示装置３０は、所定数の走査線を有するインターレース方式の映像信号を入力切換する入力切換部１１と、入力された映像信号をスーリング用ラインメモリ３２を用いてスケーリングする簡易スケーラ３１と、スケーリングされた映像信号を入力してプログレッシブ方式の映像を表示するマトリックス型の液晶パネル２０とを備え、液晶パネル２０は、ＰＡＬ方式映像信号の水平走査線のうち表示信号が存在する水平走査線の数に対応する垂直方向画素数と、前記垂直方向画素数に対して１６／９の比率の数に対応する水平方向画素数とを有する構成としたので、映像信号の水平走査線信号をパネルの画素に合致させて表示することができる。このため、簡易なスケーリングとなるため、スケーリングによる画質の影響を大幅に減少させることができ、表示のボケを極力防止することができる。また、ＨＤ方式映像信号（１０８０ｉ）を表示する場合などは、スケーリングの必要がなく、簡易スケーラ３１及びスケーリング用ラインメモリ３２が不要になり、スケーリングによる画質の影響をなくすことができる。
【００４３】
また、従来必要としていたスケーリング用フレームメモリ１３（図６）に代えて、フレームメモリより格段にメモリ容量の小さいスケーリング用ラインメモリ３２を用いて簡易スケーリングを行うことができるのでコスト低減を図ることができる。
【００４４】
ここでは、ＰＡＬ方式の映像ソース用のマトリックス型液晶表示装置について説明したが、本発明は、ＳＥＣＡＭ方式の映像ソース用のマトリックス型表示装置についても同様に適用可能であることは当業者であれば容易に理解できよう。また、ここではマトリックス型液表示パネルとして液晶パネルの場合を説明したが、本発明は、プラズマパネルを用いた表示装置にも適用可能である。
【００４５】
以上、本発明の例を説明したが、本発明は上述の例に限定されるものではなく、特許請求の範囲に記載された発明の範囲にて様々な変更が可能であることは当業者に理解されよう。
【００４６】
また、本実施の形態では映像表示装置という名称を用いたが、これは説明の便宜上であり、液晶表示パネル、ＰＡＬパネル等であってもよいことは勿論である。
【００４７】
さらに、上記映像表示装置を構成する各回路部、例えば液晶コントローラ等の種類、数及び接続方法などは前述した実施の形態に限られない。
【産業上の利用可能性】
【００４８】
本発明は、ＰＡＬ方式の放送受信装置の表示技術として利用できる。また、ＰＡＬ方式以外、例えばＳＥＣＡＭ方式の放送受信装置に適用することも可能である。
【図面の簡単な説明】
【００４９】
【図１】本発明の実施の形態のＰＡＬ方式の映像ソース用のマトリックス型表示装置の構成を示す図である。
【図２】本実施の形態のワイドユーロ方式のマトリックス型表示装置の標準（ＳＤ）映像信号の映像信号変換を説明する図である。
【図３】本実施の形態のワイドユーロ方式のマトリックス型表示装置のハイビジョン（ＨＤ）映像信号の映像信号変換を説明する図である。
【図４】従来のＷ−ＸＧＡ方式のマトリックス型表示装置において、標準（ＳＤ）映像信号の映像信号変換を説明する図である。
【図５】従来のＮＴＳＣ方式のデジタル映像ソース用のマトリックス型表示装置において、ハイビジョン（ＨＤ）映像信号の映像信号変換を説明する図である。
【図６】従来のＰＡＬ方式の映像ソース用の液晶映像表示装置の構成の主要部を示す図である。
【符号の説明】
【００５０】
１１  入力切換部
１２  ＡＤコンバータ
１５  画質強調補正部
１６  ＯＳＤ制御部
１７  ＯＳＤ混合部
１８  γ補正部
１９  液晶コントローラ
２０  液晶パネル
２１  ゲートドライバ
２２  ソースドライバ
３１  簡易スケーラ
３２  スケーリング用ラインメモリ
【図１】
2006173994.tif 000003
【図２】
2006173994.tif 000004
【図３】
2006173994.tif 000005
【図４】
2006173994.tif 000006
【図５】
2006173994.tif 000007
【図６】
2006173994.tif 000008